(57)【要約】      （修正有）【課題】看板枠体を複数回に渡って使用することにより、破棄、再作製および再据え付けの各労力を大幅に低減するとともに資材の無駄をなくす。【解決手段】サイン表示板３ａおよび照明手段を有する看板枠体３を、取付壁面１上に固定したベース枠体２に着脱機構３ｄ，３ｅ，２ｃを介して取り外し可能に装着したことによって、看板枠体３を取り外し可能とし、ベース枠体２さえ撤去すれば装置全体の主たる構成部分である看板枠体３を繰り返して使用し得るように構成したもの。【選択図】図１
0003114221.tif 000002
【実用新案登録請求の範囲】
【請求項１】
取付壁面に装着された看板枠体の内部に適宜の照明手段が配置され、その照明手段からの発光により前記看板枠体の前面側に配置されたサイン表示板を内側から照らすように構成された内照式看板装置において、
前記看板枠体は、前記取付壁面上に固定されたベース枠体に対して着脱機構を介して取り外し可能に装着されていることを特徴とする内照式看板装置。
【請求項２】
前記着脱機構は、前記ベース枠体側に設けられた係止手段と、そのベース枠体側の係止手段に嵌合するように前記看板枠体側に設けられた係合手段と、を含む構成になされていることを特徴とする請求項１記載の内照式看板装置。
【考案の詳細な説明】
【技術分野】
【０００１】
本考案は、看板枠体に設けられたサイン表示板を内側から照らすように構成された内照式看板装置に関する。
【背景技術】
【０００２】
一般に、内照式看板装置（パラペット・サイン）は、サイン表示板を有する看板枠体が取付壁面にアンカーボルトなどの固定手段により固定されることにより用いられている。その看板枠体の内部には蛍光灯などの適宜の照明手段が配置されており、当該照明手段からの発光によって前記看板枠体の前面側に取り付けられたサイン表示板を内側から照らすことによって、夜間でもサイン表示板に描かれた広告部分が良好に認識される。
【０００３】
このような内照式看板装置では、上述したように看板枠体そのものが取付壁面上にアンカーボルトなどの固定手段を用いて半永久的に据え付けられる構成になされている。したがって、一旦取り付けられた内照式看板装置が、何らかの事情によって不要となった場合には、内照式看板装置の全体が分解または破壊されて完全撤去され、装置全体が破棄されることとなる。
【０００４】
しかしながら、このように全体を破棄せざるを得ない構成とした従来の内照式看板装置では使い捨てに近い状況となっていることから、毎回新たな装置を作製し、また破棄することが繰り返されており、その結果、多大の重複労力を要することとなってコスト高にならざるを得ないとともに、資源の無駄が生じて環境上にも好ましいとは言えない状況である。
【考案の開示】
【考案が解決しようとする課題】
【０００５】
そこで本考案は、複数回に渡って使用可能な安価な内照式看板装置を提供することを目的とする。
【課題を解決するための手段】
【０００６】
上記目的を達成するため、本考案にかかる内照式看板装置では、取付壁面に装着された看板枠体の内部に適宜の照明手段が配置され、その照明手段からの発光により前記看板枠体の前面側に配置されたサイン表示板を内側から照らすように構成された内照式看板装置において、前記看板枠体は、前記取付壁面上に固定されたベース枠体に対して着脱機構を介して取り外し可能に装着されている。
【０００７】
このような構成を有する本考案にかかる内照式看板装置によれば、サイン表示板および照明手段を有する看板枠体が着脱機構を介して取り外しすることが可能となり、ベース枠体さえ撤去すれば、装置全体の主たる構成部分である看板枠体が繰り返して使用されるようになっている。
【考案の効果】
【０００８】
本考案にかかる内照式看板装置は、サイン表示板および照明手段を有する看板枠体を、取付壁面上に固定したベース枠体に着脱機構を介して取り外し可能に装着したことによって、看板枠体を取り外し可能とし、ベース枠体さえ撤去すれば装置全体の主たる構成部分である看板枠体を繰り返して使用し得るように構成したものであるから、看板枠体を複数回に渡って使用することにより、破棄、再作製および再据え付けの各労力を大幅に低減することができるとともに資材の無駄をなくすことができ、低廉かつ環境に好ましい内照式看板装置を得ることができる。
【考案を実施するための最良の形態】
【０００９】
以下、本考案の実施の形態を図面に基づいて説明する。
図１に示されている実施形態にかかる内照式看板装置（パラペット・サイン）は、前記取付壁面１上に固定されたベース枠体２と、そのベース枠体２に着脱自在に装着される当該内照式看板装置の主たる構成部分である看板枠体３と、を有している。
【００１０】
そのうちの看板枠体３は、図２にも示されているように、全体として横長直方体状の筐体から形成されており、前面側（図１の左端面側）には図示を省略したサイン表示板３ａが交換可能に取り付けられている。このサイン表示板３ａは、広告に必要とされる広告文字や絵等が描かれた板状部材から形成されたものであるが、中空箱状に形成された基枠筐体３ｂに対して、上面側に配置された一対の蝶番３ｃ，３ｃを介して上方側に跳ね上げ開放可能に連結されている。
【００１１】
また、この看板枠体３における基枠筐体３ｂの中空内部側には、図示を省略した蛍光灯や電源装置などからなる適宜の照明手段が配置されており、その照明手段からの発光によって上述したサイン表示板３ａが内部側から照らされるようになっている。
【００１２】
さらに、上述した基枠筐体３ｂの背面側には、着脱機構の一方側を構成する係合フック３ｄが取り付けられている。この係合フック３ｄは、前記基枠筐体３ｂの背面の上段・下段にそれぞれ３体ずつ、計６体のものが列状をなすようにして配置されている。そして、それらの各係合フック３ｄは、図４にも示されているように、前記基枠筐体３ｂの背面上に固定された連結支持部３ｅから下方に向かって延出するように設けられており、前記基枠筐体３ｂの背面との間に適宜の隙間Ｇ（図１参照）が形成されている。
【００１３】
一方、上述したような看板枠体３を装着するベース枠体２は、前記取付壁面１に対してアンカーボルト４等の固定手段により固定されものであるが、特に図３に示されているように、全体として横長矩形状の梁構造体から形成されており、鉛直方向に略平行に並設された３本の縦支柱２ａと、それらの各縦支柱２ａにおける上端および下端のどうしを略水平方向に結ぶ一対の横支柱２ｂ，２ｂとを有している。
【００１４】
上述した各縦支柱２ａにおける上方部分および下方部分には、着脱機構の他方側を構成する係止ブラケット２ｃがそれぞれ配置されており、３本の縦支柱２ａに対して計６箇所にわたって係止ブラケット２ｃが配置されている。これらの各係止ブラケット２ｃは、上述した基枠筐体３ｂ側の着脱機構を構成している各係合フック３ｄにそれぞれ対応した位置に列状をなすように配置されており、それらベース枠体２側の係止ブラケット２ｃに対して、前述した基枠筐体３ｂ側の各係合フック３ｄが、特に図１および図４に示されているように、上方側から嵌合されることによって看板枠体３の全体が保持される構成になされている。
【００１５】
すなわち、このベース枠体２側に設けられた係止ブラケット２ｃは、前述した基枠筐体３ｂ側の各係合フック３ｄが上方側から遊嵌状態で挿通・離脱される筒状の中空体から形成されたものであって、当該係止ブラケット２ｃ内に係合フック３ｄが上方側から挿通されたときに、前述したように係合フック３ｄを支持している連結支持部３ｅの下面が、係止ブラケット２ｃの上端側開口縁部に上方側から当接することによって係止状態となり、その結果、看板枠体３の全体が保持されるようになっている。
【００１６】
一方、この保持状態から看板枠体３を上方に持ち上げるようにすれば、係合フック３ｄが係止ブラケット２ｃから上方に抜け出すようにして離脱することとなり、その結果、看板枠体３の取り外しが容易に行われる。
【００１７】
このように本実施形態にかかる内照式看板装置によれば、サイン表示板３ａおよび照明手段を有する看板枠体３が、着脱機構３ｄ，３ｅ，２ｃを介して容易に取り外しすることが可能となっており、一旦取り付けた内照式看板装置が種々の事情で不要となった場合には、装置全体の主たる構成部分である看板枠体３をベース枠体２から取り外して、残ったベース枠体２さえ撤去すれば良く、装置全体の主たる構成部分である看板枠体３は繰り返して使用されることとなる。したがって、極めて経済的であり、しかも廃棄物が減少することなどから環境的にも極めて良好である。
【００１８】
なお、上述した実施形態において内照式看板装置の全体を強固に固定したい場合には、嵌合された係合フック３ｄと係止ブラケット２ｃとをネジ止めなどの固定手段を用いることによって安定した固定状態が得られる。
【００１９】
以上、本考案者によってなされた考案を実施形態に基づいて具体的に説明したが、本考案は上記実施形態に限定されるものではなく、その要旨を逸脱しない範囲で種々変形可能であるというのは言うまでもない。
【産業上の利用可能性】
【００２０】
本考案は、室内外に設置されるあらゆる内照式看板装置に対して広く採用することが可能である。
【図面の簡単な説明】
【００２１】
【図１】本考案の一実施形態における内照式看板装置の側面部分を表した側面説明図である。
【図２】内照式看板装置を構成する看板枠体３を背面側から表した外観斜視説明図である。
【図３】内照式看板装置を構成するベース枠体２を表した外観斜視説明図である。
【図４】係合フック３ｄと係止ブラケット２ｃとの嵌合状態を表した拡大斜視説明図である。
【符号の説明】
【００２２】
１  取付壁面
２  ベース枠体
２ａ  縦支柱
２ｂ  横支柱
２ｃ  係止ブラケット（着脱機構）
３  看板枠体
３ａ  サイン表示板
３ｂ  基枠筐体
３ｃ  蝶番
３ｄ  係合フック（着脱機構）
３ｅ  連結支持部（着脱機構）
４  アンカーボルト
Ｇ  隙間
【図１】
0003114221.tif 000003
【図２】
0003114221.tif 000004
【図３】
0003114221.tif 000005
【図４】
0003114221.tif 000006